(57)【要約】  【課題】構成部品点数が少なく機構が簡単で、コストの安い給水器、貯水タンクを提供し、清掃性を向上させる。  【解決手段】扉内棚部に設けた貯水タンク１９と、扉１４の前面部に設けた給水器１８と、その間を接続する給水パイプ２０を備え、貯水タンク１９を冷却器２１に相対向して設けることにより、構成部品点数が少なく、機構も簡単で、コストが安く、且つ給水した水の冷却スピードが速く、清掃性の良い給水器付き冷蔵庫を提供することができる。【選択図】図３
2008101816.tif 000002
【特許請求の範囲】
【請求項１】
直冷式の冷却器を備えた本体と、開閉自在の冷蔵庫扉と、前記冷蔵庫扉の内側の上棚部に設けた貯水タンクと、冷蔵庫扉の外側に設けた給水器と、その間を接続する給水パイプを備え、貯水タンクは冷却器に相対向した位置に設けたことを特徴とする冷蔵庫。
【請求項２】
前記貯水タンクの天面の端部に注水口を設け、その他の貯水タンクの上側には、卵棚を設けた請求項１に記載の冷蔵庫。
【請求項３】
前記貯水タンクから、前記給水器への水の供給を電動ポンプ式とした請求項２に記載の冷蔵庫。
【請求項４】
前記貯水タンクの幅を略半分とし、残る冷却器室の開口を閉塞する半幅のドアを設けた請求項１に記載の冷蔵庫。
【請求項５】
前記貯水タンクの横にジュースなどの缶飲料を収納する棚を設けた請求項４に記載の冷蔵庫。
【請求項６】
庫内の温度調節器の感熱部を、前記貯水タンク側に設けた請求項４または５に記載の冷蔵庫。
【発明の詳細な説明】
【技術分野】
【０００１】
本発明は、冷蔵庫の扉に設置する給水器とその貯水タンクに関するものである。
【背景技術】
【０００２】
従来、この種の冷蔵庫は庫内側に配置された水タンクの水を、給水パイプを介して扉前面に設けた水が流出する取出し口からコップなどに給水する構成としていた（例えば、特許文献１参照）。
【０００３】
また、あるいは水タンクを取出し口より高く設置し、給水レバーの操作により水が自然落下式に流出する構成としていた。
【０００４】
図９は、従来の給水器付き冷蔵庫を示すもので、図１０は同従来の給水器付き冷蔵庫の貯水タンクの部分断面図である。
【０００５】
図に示すように、冷蔵庫の扉１は外板２と内箱３に囲まれた空間内に断熱材４を充填してなる。
【０００６】
内箱３の上部には貯水タンク５が設置されており、扉１の前面で貯水タンク５より低く設置された給水器６とは給水パイプ７で連結されている。
【０００７】
給水器６の近傍には、水の流出・停止を制御する給水レバー８が設けられている。また、貯水タンク５の天面には脱着自在の蓋９が設けられる。また、冷蔵庫本体の庫内の上部に冷却器を備え、庫内を直接冷やすこととなる。また冷却器を略箱形状に成形して急冷室とし、冷却器扉を設ける。
【０００８】
上記構成において、以下その動作を説明する。
【０００９】
貯水タンク５に溜められた水は、給水レバー８をＡ方向に操作することにより、給水管７を通って低い位置にある給水器６からコップなどに供給されることとなる。
【特許文献１】特開２００２−１１５９６０号公報
【発明の開示】
【発明が解決しようとする課題】
【００１０】
しかしながら、上記従来の構成では水の供給は自然落下式であるために、貯水タンクの設置位置を給水器より高くする必要が有る。一方、給水器の使用者は、給水器の高さが低いと使い難いので、必然的に貯水タンクは冷蔵庫扉の最も上部に設置することになる。他方、冷蔵庫扉の最上部は冷却器よりも高い位置となり、冷蔵庫の庫内では比較的温度の高い場所であるから水が冷え難いという課題があった。
【００１１】
また、電動ポンプ式の給水器では、貯水タンクの設置位置は自由に選べるが、それ自体が高く付き、製造コストかかる。
【００１２】
本発明は、上記従来の課題を解決するもので、構成部品点数が少なく、機構も簡単で、コストが安く、冷却速度の速い貯水タンクを備えた給水器付き冷蔵庫を提供することを目的とする。
【課題を解決するための手段】
【００１３】
上記従来の課題を解決するために、本発明の冷蔵庫は扉内側の上棚部に設けた貯水タンクと、扉の外側に設けた給水器と、その間を接続する給水パイプを備えて有する冷蔵庫において、貯水タンクを急冷室に対向して設置し、冷却器扉の代わりとしたものである。
【００１４】
これによって、貯水タンクの水が速く冷え、使い勝手の良い急冷室給水器付き冷蔵庫を提供できる。
【発明の効果】
【００１５】
本発明の冷蔵庫は給水動作がし易く、食品収納スペースをとらずに貯水タンクを設けることが出来るとともに、収納した水の冷却速度の速い給水器付き冷蔵庫を提供することができる。
【発明を実施するための最良の形態】
【００１６】
請求項１に記載の発明は、直冷式の冷却器を備えた本体と、開閉自在の冷蔵庫扉と、前記冷蔵庫扉の内側の上棚部に設けた貯水タンクと、冷蔵庫扉の外側に設けた給水器と、その間を接続する給水パイプを備え、貯水タンクは冷却器に相対向した位置に設けたものであり、簡単な構成で水の冷却速度が速く、使い易い、またコストの安い給水器付き冷蔵庫を提供できる。
【００１７】
請求項２に記載の発明は、請求項１に記載の発明において、貯水タンクの天面の端部に注水口を設け、その他の貯水タンクの上側には、卵棚を設けたものであり、貯水タンクの給水口部を除く扉棚の上部に卵棚を設け、使いやすくなる。
【００１８】
請求項３に記載の発明は、請求項２に記載の発明において、貯水タンクから、給水器への水の供給を電動ポンプ式としたものであり、自然落下式の代わりに電動ポンプ式の給水機構を備える。
【００１９】
請求項４に記載の発明は、請求項１に記載の発明において、貯水タンクの幅を略半分とし、残る冷却器室の開口を閉塞する半幅のドアを設けたものであり、冷蔵庫の扉を開けた時の冷却器室内の温度上昇を防止することができる。
【００２０】
請求項５に記載の発明は、請求項４に記載の発明において、貯水タンクの横にジュースなどの缶飲料を収納する棚を設けたものであり、缶飲料を収納する棚を設けることにより、使い勝手を向上させる。
【００２１】
請求項６に記載の発明は、請求項４または５に記載の発明において、庫内の温度調節器の感熱部を、貯水タンク側に設けたものであり、庫内の温度調節器の感熱部を、貯水タンク側に設けることにより、急冷効果が得られる。
【００２２】
以下、本発明の実施の形態について、図面を参照しながら説明する。なお、この実施の形態によってこの発明が限定されるものではない。
【００２３】
（実施の形態１）
図１は本発明の実施の形態１における冷蔵庫の斜視図、図２は同実施の形態における冷蔵庫の扉を開けた状態の正面図で、図３は同実施の形態における冷蔵庫の要部断面図である。
【００２４】
図１から図３において、冷蔵庫本体１３は前面の開口を開閉自在に取付けられた扉１４を有し、扉１４は外板１５と扉内棚１６に囲まれた空間内に、断熱材１７を充填して形成される。
【００２５】
扉１４の外板１５の前面部には、給水器１８が設置され、扉内棚１６には貯水タンク１９が設置されている。また、扉１４の前面に給水器１８が設置され、貯水タンク１９と給水器１８は給水パイプ２０で直接に接続されている。他方、貯水タンク１９は、冷蔵庫１３の庫内の上部に設けた冷却器２１に対向して設けられている。扉１４の前面に取付けられた給水器１８は、その近傍に設けられた給水レバー８を操作することにより、貯水タンク１９内の水が給水パイプ２０を通って低い位置にある給水器１８から供給されることとなる。扉内棚１６の上部には貯水タンク１９が設置され、貯水タンク１９の上部には蓋２２が装着されて、蓋２２には注水口２３が設けられ、脱着自在のキャップ２４が設置されている。
【００２６】
以上のように構成された冷蔵庫について、以下その動作、作用を説明する。
【００２７】
まず、冷蔵庫１３内の扉内棚１６の上部に設けた貯水タンク１９の注水口２３のキャップ２４を外して飲料水を入れ、冷蔵庫１３内で冷却する。冷蔵庫１３の扉１４を閉じた時には、貯水タンク１９が冷却器２１に対向して設けられているので、従来例の冷却器ドア２７の代わりの役目を果たし、簡易的に冷却器室を形成すると共に、冷却器室に近接して設置するので、注水した水が急速に冷やされ、低温で貯蔵出来る事となる。
【００２８】
給水器１８の近傍に設けた給水レバー８を押すと、冷蔵庫１３の扉１４を開閉しなくても給水パイプ２０を通って、貯水タンク１９内から冷蔵庫１３内で冷やされた冷たい水が出てくる。また、給水レバー８を押すのを止めると、水が止まる。また、冷蔵庫１３の扉１４を開けた時には、冷却器ドア２７を開放するのと同じ効果が同時に得られ、冷却器室が使いやすい冷蔵庫とすることが出来る。長期間使っているうちに、貯水タンク１９内が水垢で汚れると、冷蔵庫１３の扉内棚１６から貯水タンク１９を外して、更に貯水タンク１９からロック機構２３を解除して蓋２２を外し、またキャップ２４を外すことにより、隅々まで容易に洗浄出来、清潔に保つことが出来る。
【００２９】
（実施の形態２）
図４は本発明の実施の形態２における冷蔵庫の要部斜視図である。
【００３０】
図４に示すように、キャップ２４を蓋２２の端に設けることにより、貯水タンク１９の上部に卵棚２５を設ける事ができる。扉内棚１６の最上部は、冷却器２１より上に位置するため、本発明のごとき庫内攪拌用の送風機構を持たない直冷式の冷蔵庫では、一般的に庫内で最も温度が高い。一方、卵は常温でも１ヶ月程度は保存可能であり、適材適温場所の棚の配置が可能となる。
【００３１】
（実施の形態３）
図５は本発明の実施の形態３における冷蔵庫の要部縦断面図である。
【００３２】
図５に示すように、電動ポンプ２６を備えることにより、貯水タンク１９の水をその上下位置関係に関係なく扉１４前面の給水器１８に供給出来るので、更に冷蔵庫１３庫内のレイアウトを自由に設計出来る。
【００３３】
（実施の形態４）
図６は本発明の実施の形態４における冷蔵庫の要部平面断面図である。
【００３４】
図６に示すように、貯水タンク１９の幅を扉１４の略半分とし、冷却器室の開口の略半分を閉塞し、残る半幅を閉塞する冷却器ドア２７を設けても良い。
【００３５】
（実施の形態５）
図７は本発明の実施の形態５における冷蔵庫の要部平面断面図である。
【００３６】
図７に示すように、貯水タンク１９の横にジュースなどを収納する缶飲料棚２８を設ければ、注水した水が急速に冷やされ、低温で貯蔵出来る事となる。
【００３７】
（実施の形態６）
図８は本発明の実施の形態６における冷蔵庫の要部平面断面図である。
【００３８】
図８に示すように、庫内の温度調節器２９の感熱部３０を、貯水タンク１９側に設ければ、貯水タンク１９に水を補充した時に昇温を検知して急速に冷却し、冷却後は通常の運転制御を行うことが出来る。
【産業上の利用可能性】
【００３９】
以上のように、本発明にかかる冷蔵庫は、給水機構が簡単で、構成部品点数が少なく、低コストで、清掃性の良い、安い給水器付き冷蔵庫の提供が可能となるばかりでなく、貯水タンクを急冷室に対向して設置するので、急速冷却が出来、冷水器等の用途にも適用できる。
【図面の簡単な説明】
【００４０】
【図１】本発明の実施の形態１における冷蔵庫の斜視図
【図２】同実施の形態における冷蔵庫の扉を開けた状態の正面図
【図３】同実施の形態における冷蔵庫の要部縦断面図
【図４】本発明の実施の形態２における冷蔵庫の要部斜視図
【図５】本発明の実施の形態３における冷蔵庫の要部縦断面図
【図６】本発明の実施の形態４における冷蔵庫の要部平面断面図
【図７】本発明の実施の形態５における冷蔵庫の要部平面断面図
【図８】本発明の実施の形態６における冷蔵庫の要部平面断面図
【図９】従来の給水器付き冷蔵庫の斜視図
【図１０】同従来の給水器付き冷蔵庫の貯水タンクの部分断面図
【符号の説明】
【００４１】
１３  冷蔵庫
１４  扉
１６  扉内棚
１７  断熱材
１８  給水器
１９  貯水タンク
２０  給水パイプ
２１  冷却器
２３  注水口
２５  卵棚
２６  電動ポンプ
２７  冷却器ドア
２８  缶飲料棚
２９  温度調節器
３０  感熱部
【図１】
2008101816.tif 000003
【図２】
2008101816.tif 000004
【図３】
2008101816.tif 000005
【図４】
2008101816.tif 000006
【図５】
2008101816.tif 000007
【図６】
2008101816.tif 000008
【図７】
2008101816.tif 000009
【図８】
2008101816.tif 000010
【図９】
2008101816.tif 000011
【図１０】
2008101816.tif 000012